(57)【要約】      （修正有）【課題】建設現場、農業用に現場の溜まり水を排水するのに既に市販されている水中ポンプの排水作業の効率よくすると共に、しかも水中ポンプの寿命を長期化させるのに、比較的安価な水中ポンプ用の異物除去装置を提供する。【解決手段】水中ポンプ１を収納可能な外周が細かなメッシュの有底の内筒３と、前記の内筒をその中央部に収容して内筒の外部に間隙を有する有底の粗いメッシュの外筒６と、前記外筒と内筒との間の間隙部に充填してなる異物除去粒状物８とにより、水中ポンプ用の異物除去装置を構成する。【選択図】図１
0003153515.tif 000002
【実用新案登録請求の範囲】
【請求項１】
水中ポンプを収納可能な外周がメッシュ性の有底の内筒と、
前記メッシュ性の内筒をその中央部に収容して内筒の外部に間隙部を有するようにした有底のメッシュ性外筒と、
前記外筒と内筒との間の間隙部に充填してなる異物除去粒状物と
からなることを特徴とする水中ポンプ用の異物除去装置。
【請求項２】
内筒は、細かなメッシュからなり、外筒は比較的粗いメッシュからなる請求項１記載の水中ポンプ用の異物除去装置。
【請求項３】
外筒と内筒及び外筒と内筒との間の間隙部の上端部には弾性蓋を設けることようにした請求項１又は請求項２記載の水中ポンプ用の異物除去装置。
【請求項４】
外筒と内筒は円形状である請求項１、請求項２又は請求項３記載の水中ポンプ用の異物除去装置。
【請求項５】
外筒の上部に手持ち部を設けてある請求項１、請求項２、請求項３又は請求項４記載の水中ポンプ用の異物除去装置。
【考案の詳細な説明】
【考案の詳細な説明】
【技術分野】
【０００１】この考案は、既に建設現場、農業用の溜まり水を排水するのに既に市販されている水中ポンプを使用する際に、溜まり水の内部には、汚泥、木屑、枯れ葉、残留の生コン等の異物が混ざり合っている。溜まり水を排水するために市販されている水中ポンプを使用すれば、水中ポンプの下部に多数の吸水孔を詰まらせたり、羽根車に損傷を与えたりして早期に水中ポンプの寿命を短じかくする。更に、排水作業中に水中ポンプの下部に多数の吸水孔を詰まらせたりした場合には、その都度目詰まりを除去するために排水作業等を一旦中断する必要があり、排水作業の効率を低下させる。
【技術の背景】
【０００２】そこでこの考案は、建設現場、農業用に現場の溜まり水を排水するのに既に市販されている水中ポンプの排水作業の効率よくすると共に、しかも水中ポンプの寿命を長期化させるのに、比較的安価な水中ポンプ用の異物除去装置を提供するものである。
従来、水中ポンプの詰まりを防止すべく、種々の考案、発明がなされているが、その殆どが、水中ポンプそのものと既に一体化する構造のもの、例えば特許文献１、特許文献２、更に、水中ポンプとは別体であるが異物除去装置が、ポンプ機能を利用する特許文献３であるため、従来のこのような装置は、比較的高価となった。
【先行技術文献】
【０００３】
【特許文献１】特開２００５−１６３７３５
【特許文献２】特開平７−９１３８９
【特許文献３】特開平７−３０１１９３
【考案の開示】
【考案の解決しようとする課題】
【０００４】従来提供されているこのような水中ポンプの目詰まり除去装置は、水中ポンプと一体化してあるようなものでは、既に市販されている目詰まり除去装置のない水中ポンプには使用出来ない、又、特許文献３のように水中ポンプとは別体であるが異物除去装置が、ポンプ機能を利用するような、異物除去装置自体が高価となる傾向もある。
【課題を解決するための手段】
【０００５】水中ポンプを収納可能な外周がメッシュ性の有底の内筒と、前記メッシュ性の内筒をその中央部に収容して内筒の外部に間隙部を有するようにしたメッシュ性の有底の外筒と、前記外筒と内筒との間の間隙部に充填してなる異物除去粒状物とからなる水中ポンプ用の異物除去装置とした。
【０００６】間隙部の上方より排水が流入しないように、外筒と内筒及び外筒と内筒との間の間隙部の上端部には弾性蓋を設けるようにしてある。
【０００７】従来一般的に使用されている水中ポンプが円形状のものであることから、外筒と内筒は円形状としてある。
【０００８】水中ポンプ用の異物除去装置と水中ポンプとの全体を設置場所から引き上げるために、外筒の上部に手持ち部を設けてあるものである。
【考案の効果】
【０００９】本件考案は、上記の従来の問題点を解決するもので、既に市販されている水中ポンプに広く使用することが可能であると共に、この考案の異物除去装置はその構造が簡単であると、非常に安価であって、それ自体が故障することがない。
【考案を実施化するための形態】
【００１０】水中ポンプを収納可能な外周が細かなメッシュの有底の内筒と、前記の内筒をその中央部に収容して内筒の外部に間隙を有する有底の粗いメッシュの外筒と、前記外筒と内筒との間の間隙部に充填してなる異物除去粒状物と、からなる水中ポンプ用の異物除去装置としたものである。
【実施例】
【００１１】一般に市販されている水中ポンプ１外周が円形の場合は、本考案の水中ポンプ用の異物除去装置は、主として、水中ポンプ１を収納可能な外周が細かなメッシュ２の円筒状の内筒３と、前記の内筒３をその中央部に収容して内筒３の外部に間隙部４を有する有底５の粗いメッシュの円筒状の外筒６とからなっている。内筒３及び外筒６の底板５には細かな無数の孔７を設けてある。前記内筒３及び外筒６は、その材質は耐久性を考慮して、、鉄材、亜鉛材、アルミ材、ステンレス材等の金属素材又は硬質プラスチック素材としてある。なお、上述の説明では、内筒３及び外筒６は、その外形の形状は円筒状として説明したが、水中ポンプ１外周形状の形状に対応して、その他の四辺形状、楕円形状とすることもできる。【００１２】前記外筒６と内筒３との間の間隙部４には、粒径１０ｍｍ〜４０ｍｍ程度自然石の砕石粒又は人工石とからなる充填粒８を充填してある。【００１３】更に、外筒６と内筒３及び外筒６と内筒３との間の間隙部４の上端部にはゴム質形の弾性蓋９を設けることようにしてある。このゴム質系の弾性蓋９は、前記間隙部４及び水中ポンプ１と内筒３との間に上方からの汚水に流入を遮断するために設けられている。【００１４】外筒６の上方部に把持部１０を設けてある。この把持部９は、水中ポンプ１での作業が不要となったとき、作業現場から水中ポンプ１諸共に水中ポンプ用の異物除去装置ａを現場から撤収するのに便利である。【００１５】この考案について、ある程度程度詳細に説明したが、この考案の精神と範囲に反することなしに、広範に異なる実施態様を構成することは明白である。【００１６】この考案は、以上のように構成されているために、水中ポンプ用の異物除去装置の内部に水中ポンプを入れた状態で、排水等の作業をした場合、排水に含まれている汚泥、木屑、枯れ葉、残留の生コン等の異物のうち一定粒度以上の異物は、外筒６と内筒３との間の間隙部４には、粒径１０ｍｍ〜４０ｍｍ程度自然石の砕石粒又はセラミックス系又はセメント系の人工石とからなる充填粒８に捕縛され、水中ポンプ１の吸水孔を塞がずに、該水中ポンプ１によって効率的に排水することができる。【００１７】本願考案の水中ポンプ用の異物除去装置を使用するについて、予め、これを安定設置するかま場と称する設置凹所１１を形成して、出来る限り効率的に排水し得るようにする。
【産業上の利用可能性】
【００１８】一般に市販されている水中ポンプにて排水作業をする場合、排水作業中に水中ポンプ１の吸水孔に目詰まりして、頻繁に目詰まり箇所の異物の除去をする必要があり、このような目詰まりの除去を怠ればポンプに過重の負荷がかかり、水中ポンプの心臓部であるポンプの寿命を短くして、水中ポンプ機能を充分発揮することができなくなる。この考案で使用される粒径１０ｍｍ〜４０ｍｍ程度自然石の砕石粒又はセラミックス系又はセメント系の人工石とからなる充填粒７は非常に安価である上、内部の充填粒を洗浄することによって複数回にわたって使用することがでる。
【図面の簡単な説明】
【００１８】
【図１】この考案の使用状態を示す断面図
【図２】外筒と内筒を示す断面図
【図３】使用状態における水平断面図
【符号の説明】１．．．水中ポンプ
２．．．細かなメッシュ
３．．．内筒
４．．．間隙部
５．．．有底
６．．．粗いメッシュの円筒状の外筒
７．．．無数の孔
８．．．充填粒
９．．．ゴム質系の弾性蓋
１０．．把持部
１１．．設置凹所
ａ．．．異物除去装置
【図１】
0003153515.tif 000003
【図２】
0003153515.tif 000004
【図３】
0003153515.tif 000005